(57)【要約】【課題】利用者に特殊な道具やメディアの使用を強いることなく、不正を防止し、利用者が選択するコースに応じた飲料メニューを表示する飲料ディスペンサを提供する。【解決手段】飲料を吐出する飲料ディスペンサ１であって、利用者の画像情報を取得する撮像部２０１と、飲料の取得が可能かどうかを示す利用権情報に基づき、飲料の吐出を制御する制御部２１０とを備え、制御部２１０は、利用権情報と画像情報から抽出した生体情報との組合せ情報から、生体情報に対応する利用者情報を特定し、飲料の吐出を制御する。【選択図】図２
2018077742.tif 000002
【特許請求の範囲】
【請求項１】
飲料を吐出する飲料ディスペンサであって、
利用者の画像情報を取得する撮像部と、
飲料の取得が可能かどうかを示す利用権情報に基づき、飲料の吐出を制御する制御部と、を備え、
前記制御部は、
前記利用権情報と前記画像情報から抽出した生体情報との組合せ情報から、前記生体情報に対応する前記利用者情報を特定し、飲料の吐出を制御する飲料ディスペンサ。
【請求項２】
請求項１に記載の飲料ディスペンサであって、
前記撮像部で取得した画像情報から、生体認証を行う生体情報を抽出し記憶させるとともに、抽出した生体情報を記憶させた生体情報と照合して、一致する生体情報の有無を判断する生体認証部と、
前記撮像部で撮像した情報コードから、前記利用権情報を抽出する認証部と、をさらに備える飲料ディスペンサ。
【請求項３】
請求項１または２に記載の飲料ディスペンサであって、
前記利用権情報と前記生体情報との組合せ情報を記憶する組合せ記憶部をさらに備える飲料ディスペンサ。
【請求項４】
請求項２または３に記載の飲料ディスペンサであって、
利用者による操作を受け付ける操作部をさらに備え、
前記制御部は、
前記操作部で前記利用者による前記組合せ情報の登録指示を受け付けた場合に、前記利用権情報と前記利用者の前記生体情報を取得し、前記組合せ情報を記憶する飲料ディスペンサ。
【請求項５】
請求項２から４のいずれかに記載の飲料ディスペンサであって、
情報を表示する表示部をさらに備え、
前記制御部は、
前記組合せ記憶部の前記組合せ情報において、前記利用権情報に対する前記生体情報の有無を確認し、前記生体情報が無い場合に前記表示部に通知する飲料ディスペンサ。
【請求項６】
請求項２から５のいずれかに記載の飲料ディスペンサであって、
前記制御部は、
前記利用権情報が無効な場合に、当該利用権情報を含む前記組合せ情報を前記組合せ記憶部から削除する飲料ディスペンサ。
【請求項７】
請求項２から６のいずれかに記載の飲料ディスペンサであって、
前記制御部は、
前記利用権情報と前記生体情報を同時に取得する場合に、前記利用権情報を優先する飲料ディスペンサ。
【請求項８】
飲料を吐出する飲料ディスペンサの制御方法であって、
利用者の画像情報を取得するステップと、
飲料の取得が可能かどうかを示す利用権情報と前記画像情報から抽出した生体情報との組合せ情報から、前記生体情報に対応する前記利用者情報を特定し、飲料の吐出を制御するステップと、
を含む飲料ディスペンサの制御方法。
【請求項９】
請求項１または２に記載の飲料ディスペンサと、情報処理装置を含む飲料ディスペンサシステムであって、
前記情報処理装置は、
外部と通信を行う第２の通信部と、
前記利用権情報と前記生体情報との組合せ情報を記憶する第２の組合せ記憶部と、を備え、
前記飲料ディスペンサは、
外部と通信を行う通信部をさらに備え、
前記制御部は、前記通信部を介して、前記組合せ情報を前記第２の組合せ記憶部に記憶するとともに、前記第２の組合せ記憶部から前記通信部を介して、前記生体情報に対応する前記利用者情報を抽出する飲料ディスペンサシステム。
【請求項１０】
請求項１に記載の飲料ディスペンサと、情報処理装置を含む飲料ディスペンサシステムであって、
前記情報処理装置は、
外部と通信を行う第２の通信部と、
前記第２の通信部で受信した画像情報から、生体認証を行う生体情報を抽出し記憶させるとともに、抽出した生体情報を記憶させた生体情報と照合して、一致する生体情報の有無を判断する第２の生体認証部と、
前記第２の通信部で受信した画像情報から、前記利用権情報を抽出する第２の認証部と、
前記利用権情報と前記生体情報との組合せ情報を記憶する第２の組合せ記憶部と、
前記生体情報に対応する前記利用者情報を、前記第２の組合せ記憶部から抽出して前記第２の通信部を用いて送信する第２の制御部と、を備え、
前記飲料ディスペンサは、
外部と通信を行う通信部をさらに備え、
前記制御部は、前記撮像部で取得した前記利用権情報または前記生体情報を含む画像情報を、前記通信部を用いて送信するとともに、前記生体情報に対応する前記利用者情報を、前記通信部を用いて受信する飲料ディスペンサシステム。
【発明の詳細な説明】
【技術分野】
【０００１】
本発明は、利用者により選択されたオレンジジュースやコーヒーなどの飲料を吐出する飲料ディスペンサ、その制御方法および飲料ディスペンサシステムに関する。
【背景技術】
【０００２】
現在、ファミリーレストラン等は、飲料ディスペンサを用いたフリードリンクサービスを提供している。フリードリンクサービスは、利用者が一定額のサービス料を支払うと、利用者自身が飲料ディスペンサを操作して、一回の食事中に、オレンジジュースやコーヒーなどの複数の飲料を好きなだけ自由に飲めるというものである。
【０００３】
この場合、利用者はフリードリンクコーナーにあるグラスやカップなどの容器を自分で取り、飲料ディスペンサにセットし、好みの飲料を選択し、容器に飲料注ぎ、飲料サービスを利用する。
【０００４】
また、容器に利用情報を含んだバーコードが印刷され、飲料ディスペンサがそのバーコードの利用情報により利用権の認証を行い、飲料の吐出を制御することにより不正な利用の防止するものが提案されている。（例えば、特許文献１参照）。
【先行技術文献】
【特許文献】
【０００５】
【特許文献１】特開平９−２６７８４５号公報
【発明の概要】
【発明が解決しようとする課題】
【０００６】
しかしながら、特許文献１に記載の技術は、利用者へバーコードが印刷された特定の容器を再利用することを強いるため、異なる飲料を選択して楽しむことができるフリードリンクサービスにおいて、容器の洗浄等の余計な手間がかかるというという課題があった。また、利用者が、バーコードを印刷した紙などを使用する形態が考えられる。しかしながら、利用者は飲料ディスペンサを利用するたびにそのバーコードを提示する必要があり、特許文献１と同様に利用者に余計は手間がかかるという課題があった。
【０００７】
本開示は、ファミリーレストランやフードコートなどで利用される飲料ディスペンサにおいて、認証により不正な利用を防止すると共に、利用者ごとに選択するコースに応じた飲料メニューや制限時間を提供する上で、利用者に特殊な道具の使用を強いることなく快適に利用可能とすることを目的とする。
【課題を解決するための手段】
【０００８】
本開示の飲料ディスペンサは、飲料を吐出する飲料ディスペンサであって、利用者の画像情報を取得する撮像部と、飲料の取得が可能かどうかを示す利用権情報に基づき、飲料の吐出を制御する制御部と、を備え、前記制御部が、前記利用権情報と前記画像情報から抽出した生体情報との組合せ情報から、前記生体情報に対応する前記利用者情報を特定し、飲料の吐出を制御する。
【発明の効果】
【０００９】
本開示によれば、利用者は利用権情報を含む道具やメディアを持たなくても、認証することができ、利用者への負担を軽減することができる。
【図面の簡単な説明】
【００１０】
【図１】第１の実施形態における飲料ディスペンサの外観図
【図２】第１の実施形態における飲料ディスペンサのブロック図
【図３】第１の実施形態における組合せ記憶部に記憶する情報例を示す図
【図４】第１の実施形態における利用者の情報コード提示動作を示す模式図
【図５】第１の実施形態における利用者の顔画像取得を示す模式図
【図６】第１の実施形態における飲料ディスペンサの利用者が飲料選択可能であるか判断を行うフローチャート
【図７】第１の実施形態における利用権情報と生体情報の関連付けを登録する一例を示したフローチャート
【図８】第１の実施形態における利用権情報と生体情報の関連付けを連続登録する一例を示したフローチャート
【図９】第２の実施形態における飲料ディスペンサシステムの構成を示すブロック図
【図１０】第２の実施形態における利用権情報と生体情報の組合せ情報の登録要否確認を行うフローチャート
【図１１】第３の実施形態における飲料ディスペンサシステムの構成を示すブロック図
【発明を実施するための形態】
【００１１】
第１の開示は、飲料を吐出する飲料ディスペンサであって、利用者の画像情報を取得する撮像部と、飲料の取得が可能かどうかを示す利用権情報に基づき、飲料の吐出を制御する制御部と、を備える。制御部は、利用権情報と画像情報から抽出した生体情報との組合せ情報から、生体情報に対応する利用者情報を特定し、飲料の吐出を制御する。これにより、利用権情報を含んだ道具やメディアを常時持たなくても、組合せ情報の登録後は手ぶらで認証することができ、利用者への負担を軽減することができる。
【００１２】
第２の開示は、第１の開示の飲料ディスペンサであって、撮像部で取得した画像情報から、生体認証を行う生体情報を抽出し記憶させるとともに、抽出した生体情報を記憶させた生体情報と照合して、一致する生体情報の有無を判断する生体認証部と、撮像部で撮像した情報コードから、利用権情報を抽出する認証部と、をさらに備える。これにより、利用権情報を含んだ道具やメディアを常時持たなくても、組合せ情報の登録後は手ぶらで認証することができ、利用者への負担を軽減することができる。
【００１３】
第３の開示は、第１または第２の開示の飲料ディスペンサであって、利用権情報と生体情報との組合せ情報を記憶する組合せ記憶部をさらに備える。これにより、利用権情報を含んだ道具やメディアを常時持たなくても、組合せ情報の登録後は手ぶらで認証することができ、利用者への負担を軽減することができる。
【００１４】
第４の開示は、第２または第３の開示の飲料ディスペンサであって、利用者による操作を受け付ける操作部をさらに備える。制御部は、操作部で利用者による組合せ情報の登録指示を受け付けた場合に、利用権情報と利用者の生体情報を取得し、組合せ情報を記憶する。これにより、利用権情報を含んだ道具やメディアを常時持たなくても、組合せ情報の登録後は手ぶらで認証することができ、利用者への負担を軽減することができる。
【００１５】
第５の開示は、第２から第４のいずれかに開示の飲料ディスペンサであって、情報を表示する表示部をさらに備える。制御部は、組合せ記憶部の組合せ情報において、利用権情報に対する生体情報の有無を確認し、生体情報が無い場合に表示部に通知する。これにより、利用方法を知らない利用者に対して、組合せ情報の登録を促し、利用権情報を含んだ道具やメディアを常時持たなくても、組合せ情報の登録後は手ぶらで認証することができ、利用者への負担を大きく軽減することができる。
【００１６】
第６の開示は、第２から第５のいずれかに開示の飲料ディスペンサであって、制御部は、利用権情報が無効な場合に、利用権情報を含む組合せ情報を組合せ記憶部から削除する。これにより、不要な生体情報との照合処理を減らすことにより生体情報認証の精度、処理速度を向上することができる。
【００１７】
第７の開示は、第２から第６のいずれかに開示の飲料ディスペンサであって、制御部は、利用権情報と生体情報を同時に取得する場合に、利用権情報を優先することにより、より確度の高い情報により利用権を判断できる。
【００１８】
第８の開示は、飲料を吐出する飲料ディスペンサの制御方法であって、利用者の画像情報を取得するステップと、飲料の取得が可能かどうかを示す利用権情報と画像情報から抽出した生体情報との組合せ情報から、生体情報に対応する利用者情報を特定し、飲料の吐出を制御するステップと、を含む。これにより、利用権情報を含んだ道具やメディアを常時持たなくても、組合せ情報の登録後は手ぶらで認証することができ、利用者への負担を軽減することができる。
【００１９】
第９の開示は、第１または第２の開示の飲料ディスペンサと、情報処理装置を含む飲料ディスペンサシステムである。情報処理装置は、外部と通信を行う第２の通信部と、利用権情報と生体情報との組合せ情報を記憶する第２の組合せ記憶部と、を備える。飲料ディスペンサは、外部と通信を行う通信部をさらに備える。制御部は、通信部を介して、組合せ情報を第２の組合せ記憶部に記憶するとともに、第２の組合せ記憶部から通信部を介して、生体情報に対応する利用者情報を抽出する。これにより、利用権情報を含んだ道具やメディアを常時持たなくても、組合せ情報の登録後は手ぶらで認証することができ、利用者への負担を軽減することができる。
【００２０】
第１０の開示は、第１の開示の飲料ディスペンサと、情報処理装置を含む飲料ディスペンサシステムである。情報処理装置は、外部と通信を行う第２の通信部と、第２の通信部で受信した画像情報から、生体認証を行う生体情報を抽出し記憶させるとともに、抽出した生体情報を記憶させた生体情報と照合して、一致する生体情報の有無を判断する第２の生体認証部と、第２の通信部で受信した画像情報から、利用権情報を抽出する第２の認証部と、利用権情報と生体情報との組合せ情報を記憶する第２の組合せ記憶部と、生体情報に対応する利用者情報を、第２の組合せ記憶部から抽出して第２の通信部を用いて送信する第２の制御部と、を備える。飲料ディスペンサは、外部と通信を行う通信部をさらに備える。制御部は、撮像部で取得した利用権情報または生体情報を含む画像情報を、通信部を用いて送信するとともに、生体情報に対応する利用者情報を、通信部を用いて受信する。これにより、利用権情報を含んだ道具やメディアを常時持たなくても、組合せ情報の登録後は手ぶらで認証することができ、利用者への負担を軽減することができる。
【００２１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２２】
なお、添付図面および以下の説明は、当業者が本開示を十分に理解するために、提供されるのであって、これらにより特許請求の範囲に記載の主題を限定することは意図されていない。
（第１の実施形態）
図１は、第１の実施形態における飲料ディスペンサの外観図を示す。
【００２３】
飲料ディスペンサ１は、オレンジジュースや、メロンソーダなどの各種炭酸飲料、またはウーロン茶などの原液タンクが接続され、飲料の吐出時に水や炭酸ガスなどを混合し、各種飲料を生成し提供する。
【００２４】
図１において、飲料ディスペンサ１は、タッチパネル２、飲料アイコン３、飲料吐出ボタン４、飲料容器置き台５、飲料吐出ノズル６、カメラ７を備えている。飲料容器８は、飲料ディスペンサ１から飲料を注ぐための容器である。
【００２５】
タッチパネル２は、例えば静電式や抵抗式のタッチパネルからなり、ＧＵＩ（Ｇｒａｐｈｉｃａｌ  Ｕｓｅｒ  Ｉｎｔｅｒｆａｃｅ）を実現する。例えば、飲料のブランドや名前を示す複数の飲料アイコン３を表示する。利用者はこのタッチパネル２を用いて、飲料アイコンを押すことにより飲料を選択する。利用者は、飲料容器８を飲料容器置き台５の所定の位置に設置し飲料吐出ボタン４を押すことで、所望の飲料が飲料吐出ノズル６より吐出され、飲料容器８に注がれる。
【００２６】
カメラ７は、利用権情報が含まれる情報コード（文字列、バーコード、ＱＲコード（登録商標）など）を読取り、飲料ディスペンサ１は、利用者に対してサービスの提供の可否を判断する。また、カメラ７は利用者の顔情報を撮像する。カメラ７は利用者の顔情報が正面に撮像されるように、角度、位置を調整して、飲料ディスペンサ１に配置される。
【００２７】
図２は、第１の実施形態における飲料ディスペンサ１のブロック図である。
【００２８】
飲料ディスペンサ１は、撮像部２０１、認証部２０２、生体認証部２０３、生体情報記憶部２０４、表示部２０５、操作部２０６、飲料吐出部２０７、組合せ記憶部２０８、タイマ２０９、制御部２１０を備える。
【００２９】
撮像部２０１は、レンズ等からなる光学部材と、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサや、ＣＣＤ（Ｃｈａｒｇｅ  Ｃｏｕｐｌｅｄ  Ｄｅｖｉｃｅ）イメージセンサなどの受光した光を電気信号に変換するデバイスを備える。撮像部２０１は、図１におけるカメラ７と同一である。撮像部２０１は、周期的に撮像を行い、画像データを認証部２０２および生体認証部２０３に出力する。
【００３０】
認証部２０２は、撮像部２０１が撮像する画像データを入力し、画像データ内の情報コードの有無を判定する。認証部２０２は、情報コードが含まれる場合、その情報コードを復号する。復号した情報コードに利用権ＩＤが含まれる場合、認証部２０２は、その利用権ＩＤおよび有効期限を制御部２１０へ出力する。
【００３１】
生体認証部２０３は、撮像部２０１が撮像する画像データを入力し、画像データ内の顔画像の有無を判定する。生体認証部２０３は、顔画像が含まれる場合、顔画像より顔の特徴を抽出して生体情報とする。生体情報は、例えば、顔の眼、鼻、口、しわ、輪郭などの位置、間隔、大きさ、コントラスト比などの特徴を抽出し数値化したものである。生体認証部２０３は、制御部２１０の指示に応じて異なる処理を行う。制御部２１０より生体情報を取得するよう指示を受けた場合、生体認証部２０３は、抽出した生体情報と生体情報ＩＤの組合せを生体情報記憶部２０４に記憶する。制御部２１０より生体情報を比較するように指示を受けた場合、生体認証部２０３は、生体情報記憶部２０４に記憶された別の生体情報と比較・照合し、同一の生体情報があれば制御部２１０に関連付けられた生体情報ＩＤの通知を行う。
【００３２】
生体情報記憶部２０４は、生体認証部２０３が抽出する生体情報と生体情報ＩＤが入力
され、記憶する。また、生体情報を比較・照合時には、生体情報記憶部２０４は、記憶された生体情報と生体情報ＩＤを生体認証部２０３へ出力する。
【００３３】
表示部２０５は、例えば、タッチパネル等の液晶表示装置である。制御部２１０が出力する描画情報に基づきＧＵＩを表示する。表示部２０５は、図１におけるタッチパネル２と同一である。
【００３４】
操作部２０６は、例えば、静電容量式タッチパネルである。利用者の指が操作部２０６に接触すると静電容量が変化するため、操作部２０６は、利用者の操作情報を取得することができ、制御部２１０へ操作情報を出力する。操作部２０６は、図１におけるタッチパネル２と飲料吐出ボタン４を含む構成である。
【００３５】
なお、表示部２０５と操作部２０６は一体で構成してもよく、表示するＧＵＩと利用者の操作情報を関連付けることにより直感的な操作が可能となる。
【００３６】
飲料吐出部２０７は、制御部２１０が出力する飲料吐出信号が入力され、対応する所定の飲料、例えば、ジュースや炭酸飲料などの清涼飲料水を生成し、飲料吐出ノズル６より吐出する。
【００３７】
組合せ記憶部２０８は、制御部２１０より、利用権ＩＤを記憶するように指示を受けた場合は、制御部２１０が出力する利用権ＩＤと有効期限が入力され、関連付けて記憶する。また、組合せ記憶部２０８は、制御部２１０より、利用権ＩＤに生体情報ＩＤを関連付けるように指示を受けた場合は、制御部２１０が出力する利用権ＩＤと生体情報ＩＤが入力され、利用権ＩＤに関連付けて生体情報ＩＤを記憶する。また、組合せ記憶部２０８は、制御部２１０より、利用権ＩＤを削除するように指示を受けた場合は、制御部２１０が出力する利用権ＩＤが入力され、利用権ＩＤに関連付けられた有効期限と生体情報ＩＤを削除する。
【００３８】
図３に組合せ記憶部２０８に記憶する情報の一例を示す。図３において、関連する情報は同じ行で表されている。右から順に利用権ＩＤ、有効期限、生体情報ＩＤを記憶する。
【００３９】
タイマ２０９は、日時時刻を計測し、制御部２１０に日時時刻情報を出力する。
【００４０】
制御部２１０は、認証部２０２が出力する利用権ＩＤおよび有効期限とタイマ２０９が出力する日時時刻情報とが入力され、有効期限内であれば利用者は飲料選択可能と判断し、表示部２０５に選択可能な飲料アイコン３を表示する。さらに、制御部２１０は、利用者により飲料選択が行われると飲料吐出部２０７へ飲料吐出信号を出力する。また、利用権ＩＤが組合せ記憶部２０８に記憶されていない新しい利用権ＩＤである場合は、制御部２１０は、組合せ記憶部２０８に記憶する。
【００４１】
また、制御部２１０は、生体情報の比較時は、組合せ記憶部２０８より生体情報ＩＤと関連する利用権ＩＤの有無を確認する。制御部２１０は、関連する利用権ＩＤがある場合は、有効期限内であれば利用者は飲料選択可能と判断し、表示部２０５に選択可能な飲料アイコン３を表示する。さらに、制御部２１０は、利用者により飲料選択が行われると飲料吐出部２０７へ飲料吐出信号を出力する。
【００４２】
飲料ディスペンサ１は、図示しないマイクロコンピュータおよびメモリ等の周辺回路を備える。認証部２０２、生体認証部２０３、生体情報記憶部２０４、組合せ記憶部２０８、タイマ２０９および制御部２１０は、マイクロコンピュータ、その上で動作するソフトウェアおよびメモリ等により実現される。
【００４３】
なお、飲料ディスペンサ１は、マイクロコンピュータ及びソフトウェアを協働させた制御部を他にも備えるものであり、その制御部は、飲料を冷却するための冷却装置や、温水を作るためのヒーターや、各種アクチュエータ等を制御するが、本実施形態では説明を省略する。
【００４４】
なお、飲料ディスペンサ１は、飲料の冷却する冷却部や、飲料の原液と、水や炭酸ガスなどを混合し、オレンジジュースやメロンソーダなどの飲料を生成する飲料生成部などを備えているが、本実施形態では説明を省略する。
【００４５】
なお、表示部２０５に選択可能な飲料アイコン３を表示するとともに有効な利用権ＩＤを確認しても良い。
【００４６】
なお、制御部２１０は、利用権ＩＤと関連する有効期限と日時時刻情報を比較し、有効期限外である場合に、組合せ記憶部２０８に記憶された利用権ＩＤとそれに関連付けられた複数の情報を削除しても良い。同時に、制御部２１０は、その利用権ＩＤに関連する生体情報ＩＤから、生体情報記憶部２０４に記憶された生体情報ＩＤとそれに関連付けられた情報を削除しても良い。削除することにより、生体認証部２０３は、不要な生体情報の照合処理を減らすことができるため、照合の精度、処理速度を向上することができる。
【００４７】
次に第１の実施形態における利用者の操作に伴う飲料ディスペンサ１の動作について説明する。
【００４８】
図４は、利用者４０１が飲料ディスペンサ１に飲料容器８をセットし、情報コード４０２をカメラ７に対して提示している様子を示す。
【００４９】
図５は、飲料ディスペンサ１が利用者４０１の顔画像を撮像している様子を示す。
【００５０】
ファミリーレストランにおいて、利用者４０１は、例えば、２時間制限付きのフリードリンクサービスを店員に注文する。店員は、例えば、利用者に情報コード４０２と飲料容器８を提供する。情報コード４０２は、フリードリンクサービスを利用可能な利用者を識別する利用権ＩＤと、フリードリンクサービスの制限時間を示す有効期限が、文字またはバーコード等の形態で印刷されている。なお、飲料容器８は店員が提供するのではなく、オープンスペースに置き利用者に自由に利用してもらうのでも良い。
【００５１】
図４に示すように、利用者４０１は情報コード４０２を飲料ディスペンサ１のカメラ７に対して提示する。飲料ディスペンサ１はその情報コードを撮像・復号し、含まれる利用権ＩＤと有効期限を取得する。利用権ＩＤが有効であれば、タッチパネル２に選択可能な飲料アイコン３が表示され、利用者４０１が飲料を選択可能となる。利用者４０１が飲料を選択すると、飲料容器８に飲料が吐出される。
【００５２】
利用権ＩＤが有効であり、かつ、生体情報ＩＤと関連付けられた組合せ情報が無い場合は、飲料ディスペンサ１はタッチパネル２に生体情報の取得を促す表示を行う。利用者が生体情報の取得を選択すると、タッチパネル２に情報コードの確認を完了し、顔情報を取得することを伝えるメッセージを表示する。
【００５３】
利用者４０１は図５に示すようにカメラ７の正面に顔を配置し、飲料ディスペンサ１はその顔画像から生体情報を取得し、利用権ＩＤと生体情報とを関連付け、組合せ情報を作成する。これにより、次回より利用者４０１は情報コード４０２を掲示することなく、飲料ディスペンサ１は生体情報により関連する利用権ＩＤが有効であるかを判断することが
可能となる。
【００５４】
図６は、第１の実施形態における飲料ディスペンサ１の利用者が飲料選択可能であるか判断を行うフローチャートである。
【００５５】
飲料ディスペンサ１は、システムの起動、初期設定が終わり、通常の運用状態に入ると共に、カメラ７を用いて撮像を行う（ステップＳ６０１）。
【００５６】
認証部２０２は、取得した画像データより情報コードの有無を確認（ステップＳ６０２）し、情報コードが含まれる場合は、情報コードを復号し、利用権情報である利用権ＩＤと有効期限を取得する（ステップＳ６０３）。
【００５７】
情報コードが含まれない場合は、生体認証部２０３は顔画像の有無を確認する（ステップＳ６０４）。顔画像が含まれる場合は、生体認証部２０３はその顔画像より生体情報を抽出し、既に登録された生体情報と一致するかを確認する（ステップＳ６０５）。
【００５８】
生体情報が既に登録された生体情報と一致する場合は、制御部２１０は組合せ記憶部２０８よりその生体情報ＩＤに関連する利用権ＩＤと有効期限を取得する（ステップＳ６０６）。
【００５９】
制御部２１０は、利用権ＩＤとその有効期限により、有効期限内の利用権ＩＤであるかを判断する（ステップＳ６０７）。
【００６０】
有効期限内の利用権ＩＤである場合は、制御部２１０はタッチパネル２に選択可能な飲料アイコン３を表示する（ステップＳ６０８）。
【００６１】
利用者により飲料が選択されると、飲料吐出部２０７は選択結果に対応する飲料を吐出する（ステップＳ６０９）。飲料吐出が完了すると、制御部２１０は再び撮像（ステップＳ６０１）を実施する。
【００６２】
顔画像の有無を確認時に顔画像が含まれない場合（ステップＳ６０４のＮｏ）や、取得した生体情報の確認時に生体情報が既に登録された生体情報と一致しない場合（ステップＳ６０５のＮｏ）や、利用権ＩＤの有効期限を確認時に無効と判断した場合（ステップＳ６０７のＮｏ）は、制御部２１０は再び撮像（ステップＳ６０１）を実施する。なお、それぞれ場合において、制御部２１０はタッチパネル２に利用者に状況を伝えるためのメッセージを表示しても良い。
【００６３】
図７は、第１の実施形態における利用権情報と生体情報の関連付けを登録する一例を示すフローチャートである。
【００６４】
例えば、飲料ディスペンサ１のタッチパネル２に情報登録アイコンを表示し、利用者４０１が選択することで、利用者４０１は利用権ＩＤと生体情報の関連付け登録を行うことが可能となる。
【００６５】
飲料ディスペンサ１は、登録状態に入ると共に、カメラ７を用いて撮像を行う（ステップＳ７０１）。
【００６６】
認証部２０２は取得した画像データより情報コードの有無を確認（ステップＳ７０２）し、情報コードが含まれる場合は、情報コードを復号し、利用権情報である利用権ＩＤと有効期限を取得する（ステップＳ７０３）。情報コードが含まれない場合は、制御部２１
０は再び撮像（ステップＳ７０１）を実施する。
【００６７】
制御部２１０は利用権ＩＤとその有効期限により、有効期限内の利用権ＩＤであるかを判断する（ステップＳ７０４）。
【００６８】
有効期限内の利用権ＩＤである場合は、撮像部２０１は顔画像を撮像し（ステップＳ７０５）、生体認証部２０３は顔画像から生体情報を抽出する。制御部２１０は利用権ＩＤと生体情報ＩＤとを関連付け、組合せ情報として組合せ記憶部２０８に記憶して（ステップＳ７０６）、登録状態を完了する。
【００６９】
また、有効期限外の利用権ＩＤである場合は、制御部２１０は無効な情報コードであることを通知するメッセージをタッチパネル２に表示し（ステップＳ７０７）、登録状態を完了する。
【００７０】
図８は、第１の実施形態における利用権情報と生体情報の関連付けを連続登録する一例を示すフローチャートである。この場合、情報コードは複数の利用権ＩＤが含まれている。
【００７１】
飲料ディスペンサ１は、登録状態に入ると共に、カメラ７を用いて撮像を行う（ステップＳ８０１）。取得した画像データに情報コードが含まれる場合（ステップＳ８０２のＹｅｓ）は、認証部２０２は情報コードを復号し、複数の利用権情報（利用権ＩＤと有効期限）を取得する（ステップＳ８０３）。情報コードが含まれない場合は、制御部２１０は再び撮像（ステップＳ８０１）を実施する。
【００７２】
制御部２１０は複数の利用権情報それぞれが有効であるかを判定する（ステップＳ８０４）。有効期限内の利用権ＩＤである場合は、撮像部２０１は顔画像を撮像し（ステップＳ８０５）、生体認証部２０３は顔画像から生体情報を抽出し、制御部２１０はステップＳ８０３で取得した複数の利用権ＩＤから一つの利用権ＩＤと生体情報ＩＤの組合せ情報を組合せ記憶部２０８に記憶する（ステップＳ８０６）。
【００７３】
制御部２１０は引き続き関連付けが未登録な利用権ＩＤの有無を確認する（ステップＳ８０７）。制御部２１０は組合せ情報が未登録である利用権ＩＤがある場合、再び顔画像の撮像を行う（ステップＳ８０５）。制御部２１０は全ての利用権ＩＤへの関連付けが完了した、もしくは、利用者により関連付けを中断する等の指示を受けた場合、登録状態を完了する。
【００７４】
ステップＳ８０３で取得した複数の利用権情報が全て有効期限外の利用権ＩＤである場合は、制御部２１０は無効な情報コードであることを通知するメッセージをタッチパネル２に表示し（ステップＳ８０８）、登録状態を完了する。
【００７５】
なお、図７および図８の登録のフローチャートは、情報コードと顔画像を段階的に撮像して、得られた画像データから情報コードと顔画像のそれぞれを検出して登録していく方法を説明したが、一度に情報コードと顔画像を撮像して１枚の画像データからそれぞれを検出しても良い。
【００７６】
本実施形態の飲料ディスペンサ１によれば、利用権情報を含んだ道具やメディアを常時持たなくても、組合せ情報の登録後は手ぶらで認証することができ、利用者への負担を軽減することができる。
（第２の実施形態）
図９は、第２の実施形態におけるネットワークを介して、複数の飲料ディスペンサで記
憶部を共有する飲料ディスペンサシステムのブロック図である。図２に示した飲料ディスペンサのブロック図と同様の構成要素については、同一の符号を付し、説明を省略する。
【００７７】
第２の実施形態における飲料ディスペンサシステムは、飲料ディスペンサ１Ａ、１Ｂおよび情報処理装置９１０で構成する。飲料ディスペンサ１Ａおよび飲料ディスペンサ１Ｂは、第１の実施形態の飲料ディスペンサ１と同様に、表示部２０５、操作部２０６、飲料吐出部２０７およびタイマ２０９を備えるが、図９では図示を省略する。
【００７８】
飲料ディスペンサ１Ａ、１Ｂは、それぞれ撮像部２０１、認証部２０２、生体認証部９０３、制御部９０４および通信部９０５を備える。
【００７９】
情報処理装置９１０は、通信部９０６、制御部９０７、生体情報記憶部９０８および組合せ記憶部９０９を備える。情報処理装置９１０は、パソコンやサーバ等である。
【００８０】
情報処理装置９１０において、制御部９０７は、飲料ディスペンサ１Ａ、１Ｂで取得した利用権ＩＤ、有効期限、生体情報、生体情報ＩＤを通信部９０６により受信し、生体情報記憶部９０８および組合せ記憶部９０９に記憶するとともに、飲料ディスペンサ１Ａ、１Ｂからの指示に応じて、記憶した値を送信する。
【００８１】
情報処理装置９１０は、図示しないマイクロコンピュータおよびメモリ等の周辺回路を備える。制御部９０７、生体情報記憶部９０８および組合せ記憶部９０９は、マイクロコンピュータ、その上で動作するソフトウェアおよびメモリ等により実現される。
【００８２】
生体認証部９０３は、撮像部２０１が撮像する画像データを入力し、画像データ内の顔画像の有無を判定する。顔画像が含まれる場合は、生体認証部９０３は顔画像より顔の特徴を抽出して生体情報とする。生体情報は、例えば、顔の眼、鼻、口、しわ、輪郭などの位置、間隔、大きさ、コントラスト比などの特徴を抽出し数値化したものである。生体認証部９０３は、制御部９０４の指示に応じた異なる処理を行う。制御部９０４より、生体情報を取得するよう指示を受けた場合は、生体認証部９０３は抽出した生体情報と生体情報ＩＤの組合せ情報を制御部９０４に出力し、制御部９０４から通信部９０５を介して、情報処理装置９１０に送信する。情報処理装置９１０において、制御部９０７は通信部９０６で受信した組合せ情報を生体情報記憶部９０８に記憶する。制御部９０４より、生体情報を比較するように指示を受けた場合は、生体認証部９０３は制御部９０４から通信部９０５、通信部９０６および制御部９０７を経由して、生体情報記憶部９０８に記憶された別の生体情報と比較・照合し、同一の生体情報があれば関連付けられた生体情報ＩＤの通知を制御部９０４に行う。制御部９０４は、認証部２０２が出力する利用権ＩＤおよび有効期限とタイマ２０９が出力する日時時刻情報とが入力され、有効期限内であれば利用者は飲料選択可能と判断し、表示部２０５に選択可能な飲料アイコン３を表示する。さらに、制御部９０４は利用者により飲料選択が行われると飲料吐出部２０７へ飲料吐出信号を出力する。また、制御部９０４は通信部９０５、通信部９０６および制御部９０７を介して利用権ＩＤが組合せ記憶部９０９に記憶されていない新しい利用権ＩＤである場合は、制御部９０４はその利用権ＩＤを生体情報とともに組合せ記憶部９０９に記憶する。
【００８３】
また、制御部９０４は、生体情報の比較時は、通信部９０５、通信部９０６および制御部９０７を介して、組合せ記憶部９０９より生体情報ＩＤと関連する利用権ＩＤの有無を確認する。関連する利用権ＩＤがある場合は、制御部９０４は有効期限内であれば利用者は飲料選択可能と判断し、表示部２０５に選択可能な飲料アイコン３を表示する。さらに、利用者により飲料選択が行われると、制御部９０４は飲料吐出部２０７へ飲料吐出信号を出力する。
【００８４】
通信部９０５は、飲料ディスペンサ１Ａ、飲料ディスペンサ１Ｂが備えるネットワーク送受信部である。通信部９０６は、情報処理装置９１０が備えるネットワーク送受信部である。通信部９０５および通信部９０６は、例えば、イーサネット（登録商標）や、無線ＬＡＮ（Ｗｉ−Ｆｉ）、キャリア回線（３Ｇ、４Ｇ、ＬＴＥなど）のハードウェアで構成される。飲料ディスペンサ１Ａ、飲料ディスペンサ１Ｂおよび情報処理装置９１０は、通信部９０５および通信部９０６を介して通信を行い、指示や情報を交換する。
【００８５】
生体情報記憶部９０８は、生体認証部９０３が抽出する生体情報と生体情報ＩＤが、通信部９０５および通信部９０６を介して入力され、記憶する。生体情報を比較・照合時には、生体情報記憶部９０８は記憶された生体情報と生体情報ＩＤを、通信部９０６および通信部９０５を介して生体認証部９０３へ出力する。
【００８６】
組合せ記憶部９０９は、制御部９０４より、利用権ＩＤを記憶するように指示を受けた場合は、制御部９０４が出力する利用権ＩＤと有効期限が通信部９０５、通信部９０６および制御部９０７を介して入力され、関連付けて記憶する。また、制御部９０４より、利用権ＩＤに生体情報ＩＤを関連付けるように指示を受けた場合は、組合せ記憶部９０９は、制御部９０４が出力する利用権ＩＤと生体情報ＩＤが通信部９０５、通信部９０６および制御部９０７を介して入力され、利用権ＩＤに関連付けて生体情報ＩＤを記憶する。また、組合せ記憶部９０９は、制御部９０４より、利用権ＩＤを削除するように指示を受けた場合は、制御部９０４が出力する利用権ＩＤが通信部９０５、通信部９０６および制御部９０７を介して入力され、利用権ＩＤに関連付けられた有効期限と生体情報ＩＤを削除する。
【００８７】
なお、飲料ディスペンサ１Ａ、１Ｂは、マイクロコンピュータ及びソフトウェアを協働させた制御部を他にも備えるものであり、その制御部は、飲料を冷却するための冷却装置や、温水を作るためのヒーターや、各種アクチュエータ等を制御するが、本実施形態では説明を省略する。
【００８８】
なお、飲料ディスペンサ１Ａ、１Ｂは、飲料の冷却する冷却部や、飲料の原液と、水や炭酸ガスなどを混合し、オレンジジュースやメロンソーダなどの飲料を生成する飲料生成部などを備えているが、本実施形態では説明を省略する。
【００８９】
なお、制御部９０４は、利用権ＩＤと関連する有効期限と日時時刻情報を比較し、有効期限外である場合に、組合せ記憶部９０９に記憶されたその利用権ＩＤとそれに関連付けられた複数の情報を削除しても良い。同時に、その利用権ＩＤに関連する生体情報ＩＤから、生体情報記憶部９０８に記憶された生体情報ＩＤとそれに関連付けられた情報を削除しても良い。
【００９０】
なお、情報コードは、利用権ＩＤのみが含まれていて、組合せ記憶部９０９に記憶された利用権ＩＤと有効期限の組合せ情報を、必要に応じて取得しても良い。
【００９１】
なお、第２の実施形態における飲料ディスペンサは２台の例を示したが、３台以上であっても良い。
【００９２】
図１０は、第２の実施形態における飲料ディスペンサ１の利用者が飲料選択可能であるか判断を行うフローチャートのうち、利用権情報と生体情報の組合せ情報の登録要否確認を行うフローチャートを抽出したものである。組合せ情報の登録要否確認は、図６のステップＳ６０７とステップＳ６０８の間に位置する。図６に示したフローチャートと同様の構成要素については、同一の符号を付し、説明を省略する。
【００９３】
制御部９０４は、利用権ＩＤとその有効期限により、有効期限内の利用権ＩＤの有無を判断する（ステップＳ６０７）。
【００９４】
有効な利用権ＩＤである場合、制御部９０４は利用権ＩＤと関連する生体情報ＩＤの有無を判断する（ステップＳ１００１）。
【００９５】
利用権ＩＤと関連する生体情報ＩＤが有る場合は、制御部２１０はタッチパネル２に選択可能な飲料アイコン３を表示する（ステップＳ６０８）。利用権ＩＤと関連する生体情報ＩＤがない場合は、制御部９０４は生体情報を登録するかどうかを確認するメッセージをタッチパネル２に表示し（ステップＳ１００２）、利用者の選択を確認する（ステップＳ１００３）。
【００９６】
利用者が登録を選択しない場合は、制御部９０４はタッチパネル２に選択可能な飲料アイコン３を表示する（ステップＳ６０８）。
【００９７】
また、利用者が登録を選択した場合は、撮像部２０１は顔画像を撮像し（ステップＳ１００４）、生体認証部９０３は顔画像から生体情報を抽出し、制御部９０４は利用権ＩＤと生体情報ＩＤの関連付け情報を組合せ記憶部９０９に記憶して（ステップＳ１００５）、制御部２１０はタッチパネル２に選択可能な飲料アイコン３を表示する（ステップＳ６０８）。
【００９８】
本実施形態の飲料ディスペンサ１Ａ、１Ｂおよび情報処理装置９１０によれば、利用権情報を含んだ道具やメディアを常時持たなくても、組合せ情報の登録後は、複数の飲料ディスペンサにおいて手ぶらで認証することができ、利用者への負担を軽減することができる。
【００９９】
また、飲料ディスペンサが複数台設置された環境において、一台の飲料ディスペンサで利用権情報と生体情報の登録を行えば、他の飲料ディスペンサにおいて手ぶらで認証することができ、利用者への負担を軽減することができる。
【０１００】
また、利用者が生体情報との関連付け登録を指示しなくとも、関連付けの有無を確認して利用者に通知することにより、利便性の高い機能が誰でも利用可能となる。
（第３の実施形態）
図１１は、第３の実施形態におけるネットワークを介して、複数の飲料ディスペンサで認証部、生体認証部、組合せ記憶部および生体情報記憶部を共有する飲料ディスペンサシステムのブロック図である。図２および図９に示した飲料ディスペンサのブロック図と同様の構成要素については、同一の符号を付し、説明を省略する。
【０１０１】
第３の実施形態における飲料ディスペンサシステムは、飲料ディスペンサ１Ｃ、１Ｄおよび情報処理装置１１１０で構成する。飲料ディスペンサ１Ｃおよび飲料ディスペンサ１Ｄは、第１の実施形態の飲料ディスペンサ１と同様に、表示部２０５、操作部２０６、飲料吐出部２０７およびタイマ２０９を備えるが、図１１では図示を省略する。
【０１０２】
飲料ディスペンサ１Ｃ、１Ｄは、それぞれ撮像部２０１、制御部１１０１および通信部１１０２を備える。
【０１０３】
情報処理装置１１１０は、通信部１１０３、制御部１１０４、組合せ記憶部１１０５、認証部１１０６、生体認証部１１０７および生体情報記憶部１１０８を備える。情報処理装置１１１０は、パソコンやサーバ等である。
【０１０４】
情報処理装置１１１０は、図示しないマイクロコンピュータおよびメモリ等の周辺回路を備える。制御部１１０４、組合せ記憶部１１０５、認証部１１０６、生体認証部１１０７および生体情報記憶部１１０８は、マイクロコンピュータ、その上で動作するソフトウェアおよびメモリ等により実現される。
【０１０５】
飲料ディスペンサ１Ｃ、１Ｄは、撮像部２０１で利用権情報が含まれる画像データおよび顔画像データを撮像し、通信部１１０２を用いて、情報処理装置１１１０に送信する。
【０１０６】
情報処理装置１１１０において、通信部１１０３は、飲料ディスペンサ１Ｃ、１Ｄより利用権情報が含まれる画像データおよび顔画像データを受信する。
【０１０７】
生体認証部１１０７は、受信した顔画像データ内で顔画像の有無を判定する。顔画像が含まれる場合は、生体認証部１１０７は顔画像より顔の特徴を抽出して生体情報とする。生体認証部１１０７は、制御部１１０１からの、通信部１１０２および通信部１１０３を介した指示に応じて、異なる処理を行う。制御部１１０１より、顔画像データの生体情報を取得するよう指示を受けた場合は、生体認証部１１０７は抽出した生体情報と生体情報ＩＤの組合せ情報を制御部１１０４に出力し、制御部１１０４は組合せ情報を生体情報記憶部１１０８に記憶する。制御部１１０１より、顔画像データの生体情報を比較するように指示を受けた場合は、生体認証部１１０７は生体情報記憶部１１０８に記憶された別の生体情報と比較・照合し、同一の生体情報があれば関連付けられた生体情報ＩＤの通知を制御部１１０１に行う。制御部１１０１は、認証部１１０６が出力する利用権ＩＤおよび有効期限とタイマ２０９が出力する日時時刻情報とが入力され、有効期限内であれば利用者は飲料選択可能と判断し、表示部２０５に選択可能な飲料アイコン３を表示する。さらに、制御部１１０１は利用者により飲料選択が行われると飲料吐出部２０７へ飲料吐出信号を出力する。また、制御部１１０１は、通信部１１０２、通信部１１０３および制御部１１０４を介して、利用権情報が含まれる画像データの利用権ＩＤが組合せ記憶部１１０５に記憶されていない新しい利用権ＩＤである場合は、その利用権ＩＤを顔画像データの生体情報とともに組合せ記憶部１１０５に記憶する。
【０１０８】
また、制御部１１０１は、顔画像データの生体情報の比較時は、通信部１１０２、通信部１１０３および制御部１１０４を介して、組合せ記憶部１１０５より生体情報ＩＤと関連する利用権ＩＤの有無を確認する。関連する利用権ＩＤがある場合は、制御部１１０１は有効期限内であれば利用者は飲料選択可能と判断し、表示部２０５に選択可能な飲料アイコン３を表示する。さらに、利用者により飲料選択が行われると、制御部１１０１は飲料吐出部２０７へ飲料吐出信号を出力する。
【０１０９】
通信部１１０２は、飲料ディスペンサ１Ｃ、飲料ディスペンサ１Ｄが備えるネットワーク送受信部である。通信部１１０３は、情報処理装置１１１０が備えるネットワーク送受信部である。通信部１１０２および通信部１１０３は、例えば、イーサネットや、無線ＬＡＮ（Ｗｉ−Ｆｉ）、キャリア回線（３Ｇ、４Ｇ、ＬＴＥなど）のハードウェアで構成される。飲料ディスペンサ１Ｃ、飲料ディスペンサ１Ｄおよび情報処理装置１１１０は、通信部１１０２および通信部１１０３を介して通信を行い、指示や情報を交換する。
【０１１０】
生体情報記憶部１１０８は、生体認証部１１０７が抽出する生体情報と生体情報ＩＤを記憶する。生体情報を比較・照合時には、生体情報記憶部１１０８は記憶された生体情報と生体情報ＩＤを生体認証部１１０７へ出力する。
【０１１１】
組合せ記憶部１１０５は、制御部１１０１より、通信部１１０２、通信部１１０３および制御部１１０４を介して、利用権情報が含まれる画像データの利用権ＩＤを記憶するように指示を受けた場合は、利用権ＩＤと有効期限を関連付けて記憶する。また、制御部１
１０１より、利用権情報が含まれる画像データの利用権ＩＤに、顔画像データの生体情報ＩＤを関連付けるように指示を受けた場合は、組合せ記憶部１１０５は、利用権ＩＤに関連付けて生体情報ＩＤを記憶する。また、組合せ記憶部１１０５は、制御部１１０１より、画像データ中の利用権ＩＤを削除するように指示を受けた場合は、利用権ＩＤに関連付けられた有効期限と生体情報ＩＤを削除する。
【０１１２】
なお、飲料ディスペンサ１Ｃ、１Ｄは、マイクロコンピュータ及びソフトウェアを協働させた制御部を他にも備えるものであり、その制御部は、飲料を冷却するための冷却装置や、温水を作るためのヒーターや、各種アクチュエータ等を制御するが、本実施形態では説明を省略する。
【０１１３】
なお、飲料ディスペンサ１Ｃ、１Ｄは、飲料の冷却する冷却部や、飲料の原液と、水や炭酸ガスなどを混合し、オレンジジュースやメロンソーダなどの飲料を生成する飲料生成部などを備えているが、本実施形態では説明を省略する。
【０１１４】
なお、制御部１１０１は、利用権ＩＤと関連する有効期限と日時時刻情報を比較し、有効期限外である場合に、組合せ記憶部１１０５に記憶されたその利用権ＩＤとそれに関連付けられた複数の情報を削除しても良い。同時に、制御部１１０１は、その利用権ＩＤに関連する生体情報ＩＤから、生体情報記憶部１１０８に記憶された生体情報ＩＤとそれに関連付けられた情報を削除しても良い。
【０１１５】
なお、情報コードは、利用権ＩＤのみが含まれていて、組合せ記憶部１１０５に記憶された利用権ＩＤと有効期限の組合せ情報を、必要に応じて取得しても良い。
【０１１６】
なお、第３の実施形態における飲料ディスペンサは２台の例を示したが、３台以上であっても良い。
【０１１７】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１１８】
本発明は、認証により不正な利用を防止すると共に、利用者ごとに選択するコースに応じた飲料メニューや制限時間を提供する上で、利用者に特殊な道具やメディアの使用を強いることなく快適な利用を実現し、ファミリーレストランやフードコートなどで利用される飲料ディスペンサに広く適用できる。
【符号の説明】
【０１１９】
１、１Ａ、１Ｂ、１Ｃ、１Ｄ  飲料ディスペンサ
２  タッチパネル
３  飲料アイコン
４  飲料吐出ボタン
５  飲料容器置き台
６  飲料吐出ノズル
７  カメラ
８  飲料容器
２０１  撮像部
２０２、１１０６  認証部
２０３、９０３、１１０７  生体認証部
２０４、９０８、１１０８  生体情報記憶部
２０５  表示部
２０６  操作部
２０７  飲料吐出部
２０８、９０９、１１０５  組合せ記憶部
２０９  タイマ
２１０、９０４、９０７、１１０１、１１０４  制御部
４０１  利用者
４０２  情報コード
９０５、９０６、１１０２、１１０３  通信部
９１０、  情報処理装置
【図１】
2018077742.tif 000003
【図２】
2018077742.tif 000004
【図３】
2018077742.tif 000005
【図４】
2018077742.tif 000006
【図５】
2018077742.tif 000007
【図６】
2018077742.tif 000008
【図７】
2018077742.tif 000009
【図８】
2018077742.tif 000010
【図９】
2018077742.tif 000011
【図１０】
2018077742.tif 000012
【図１１】
2018077742.tif 000013